(57)【特許請求の範囲】
【請求項１】
患者の眼の水晶体嚢内に挿入するための水晶体嚢リングであって、
前記水晶体嚢リングの周囲に延在し、かつ前記患者の眼の前記水晶体嚢内への挿入時に前記患者の眼の前記水晶体嚢の赤道領域に係合するように構成されている凹状外側面であって、前記水晶体嚢リングの前面と前記水晶体嚢リングの後面との間に延在する凹状外側面；
前記前面に配置された第１の複数のフラップであって、前記第１の複数のフラップのそれぞれの少なくとも一部分は、前記患者の眼の前記水晶体嚢内への挿入時に前記患者の眼の前記水晶体嚢の前部に係合するように構成されている、第１の複数のフラップ；および
前記後面に配置された第２の複数のフラップであって、前記第２の複数のフラップのそれぞれの少なくとも一部分は、前記患者の眼の前記水晶体嚢内への挿入時に前記患者の眼の前記水晶体嚢の後部に係合するように構成されている、第２の複数のフラップ
を含む、水晶体嚢リング。
【請求項２】
前記水晶体嚢リングの少なくとも一部分は、構造的に変形可能な生体適合性材料から構成されている、請求項１に記載の水晶体嚢リング。
【請求項３】
前記凹状外側面は、前記水晶体嚢リングの外径を画定し、前記外径は、前記患者の眼の前記水晶体嚢の前記赤道領域の直径に対応する、請求項１に記載の水晶体嚢リング。
【請求項４】
前記第１の複数のフラップ及び前記第２の複数のフラップのそれぞれは、鋭角で交わる２つの面によって画定されている、請求項１に記載の水晶体嚢リング。
【請求項５】
前記水晶体嚢リングの前記前面と前記水晶体嚢リングの前記後面との間に延在する凹状内側面をさらに含み、前記内側面は、レンズの１つ以上の支持部が前記内側面に係合するように構成されている、請求項１に記載の水晶体嚢リング。
【請求項６】
前記レンズは、前記１つ以上の支持部および光学素子を含み、前記レンズは、前記レンズの前記１つ以上の支持部が前記内側面と係合すると、前記光学素子が第１の平面に配置され、かつ前記水晶体嚢リングが第２の平面に配置されるように構成されており、前記第２の平面は、前記第１の平面に対して平行である、請求項５に記載の水晶体嚢リング。
【請求項７】
前記レンズおよび前記水晶体嚢リングが前記患者の眼の前記水晶体嚢内に配置されるとき、前記第１の平面は前記第２の平面の後方にある、請求項６に記載の水晶体嚢リング。
【請求項８】
患者の眼の水晶体嚢内に挿入するための水晶体嚢リングであって、
前記水晶体嚢リングの周囲に延在し、かつ前記患者の眼の前記水晶体嚢内への挿入時に前記患者の眼の前記水晶体嚢の赤道領域に係合するように構成されている凹状外側面であって、前記水晶体嚢リングの前面と前記水晶体嚢リングの後面との間に延在する凹状外側面；
前記前面に配置された第１の複数のフラップであって、前記第１の複数のフラップのそれぞれの少なくとも一部分は、前記患者の眼の前記水晶体嚢内への挿入時に前記患者の眼の前記水晶体嚢の前部に係合するように構成されている、第１の複数のフラップ；
前記後面に配置された第２の複数のフラップであって、前記第２の複数のフラップのそれぞれの少なくとも一部分は、前記患者の眼の前記水晶体嚢内への挿入時に前記患者の眼の前記水晶体嚢の後部に係合するように構成されている、第２の複数のフラップ；
前記水晶体嚢リングの前記前面と前記水晶体嚢リングの前記後面との間に延在する凹状内側面
を含む、水晶体嚢リング；
光学素子および１つ以上の支持部を含むレンズであって、前記１つ以上の支持部が前記水晶体嚢リングの前記内側面に係合すると、前記水晶体嚢リング内に載置されるように構成されているレンズ
を含む、眼内レンズ（ＩＯＬ）システム。
【請求項９】
前記水晶体嚢リングの少なくとも一部分は、構造的に変形可能な生体適合性材料から構成されている、請求項８に記載の眼内レンズ（ＩＯＬ）システム。
【請求項１０】
前記凹状外側面は、前記水晶体嚢リングの外径を画定し、前記外径は、前記患者の眼の前記水晶体嚢の前記赤道領域の直径に対応する、請求項８に記載の眼内レンズ（ＩＯＬ）システム。
【請求項１１】
前記第１の複数のフラップ及び前記第２の複数のフラップのそれぞれは、鋭角で交わる２つの面によって画定されている、請求項８に記載の眼内レンズ（ＩＯＬ）システム。
【請求項１２】
前記レンズは、前記水晶体嚢リング内に載置されると、前記光学素子が第１の平面に配置され、かつ前記水晶体嚢リングが第２の平面に配置されるように構成されており、前記第２の平面は、前記第１の平面に対して平行である、請求項８に記載の眼内レンズ（ＩＯＬ）システム。
【請求項１３】
前記レンズおよび前記水晶体嚢リングが前記患者の眼の前記水晶体嚢内に配置されるとき、前記第１の平面は前記第２の平面の後方にある、請求項１２に記載の眼内レンズ（ＩＯＬ）システム。
【発明の詳細な説明】
【技術分野】
【０００１】
本開示は、概して、眼内レンズ（ＩＯＬ）に関し、より詳細には、嚢混濁（ｃａｐｓｕｌａｒ  ｏｐａｃｉｆｉｃａｔｉｏｎ）を抑制するための水晶体嚢リングを有するＩＯＬに関する。
【背景技術】
【０００２】
視覚的に障害をもたらす白内障または水晶体の曇りは、世界中で予防可能な失明の主な原因となっている。現在、白内障は、罹患した水晶体を外科的に除去して人工の眼内レンズ（「ＩＯＬ」）と置き換えることによって治療されている。図１は、白内障の外科的除去およびＩＯＬの移植に関する解剖学的構造を示す眼１００の図である。眼１００は、混濁した水晶体１０２、光学的に透明な角膜１０４、および虹彩１０６を含む。眼１００の虹彩１０６の後ろ側にある水晶体嚢（ｌｅｎｓ  ｃａｐｓｕｌｅ）（水晶体嚢（ｃａｐｓｕｌａｒ  ｂａｇ）１０８）は、混濁した水晶体１０２を含む。より詳細には、混濁した水晶体１０２は、前嚢部（前嚢１１０）と後嚢部（後嚢１１２）との間にある。前嚢１１０および後嚢１１２は、水晶体嚢１０８の赤道領域１１４で交わる。眼１００はまた、虹彩１０６の前側にある前眼房１１６、および虹彩１０６と硝子体との間にある後眼房１１８を含む。
【０００３】
白内障手術の一般的な技術は、嚢外白内障摘出（「ＥＣＣＥ」）であり、これは、角膜１０４の外縁に切開を、かつ前嚢１１０に開口部を形成することを含み（すなわち、前嚢切開）、そこを通して混濁した水晶体１０２を除去する。水晶体１０２は、様々な公知の方法によって除去され得る。そのような１つの方法は、超音波水晶体乳化吸引法であり、ここでは、超音波エネルギーが水晶体に適用されて、それを複数の小さい片に分解し、それらが水晶体嚢１０８から吸引される。従って、水晶体１０２にアクセスするために除去される前嚢１１０の部分を除いて、水晶体嚢１０８は、ＥＣＣＥを通して実質的に無傷のままであり得る。無傷の後嚢１１２は、ＩＯＬを支持し、かつ眼１００の後眼房１２０内の硝子体液に対するバリアの機能を果たす。混濁した水晶体１０２の除去に続いて、健康な水晶体の透明度および屈折機能を擬態するように設計され得る人工ＩＯＬが、一般に、前嚢１１０の開口部を通して水晶体嚢１０８内に移植される。ＩＯＬは、毛様体１２２と、それに取り付けられた、水晶体嚢１０８の周辺を取り囲む小帯１２４とによって加えられる小帯の力による作用を受け得る。毛様体１２２および小帯１２４は、水晶体嚢１０８を適所に固定し、かつ距離が変化するときに、眼１００が像の明確な焦点を維持するために屈折力を変化させるプロセスである遠近調節を容易にする。
【０００４】
ＥＣＣＥおよび他の形態の白内障手術によく見られる合併症は、後嚢１１２の混濁化である。後嚢混濁（「ＰＣＯ」）は、水晶体嚢１０８の赤道領域１１４から後嚢１１２の中心に向かう残存水晶体上皮細胞の移動から生じる。ＰＣＯの発生に寄与する１つの要因は、ＩＯＬと後嚢１１２の表面との接触である。ＥＣＣＥに続いて、水晶体上皮細胞は、ＩＯＬと後嚢１１２の表面との間で増殖し得、通常透明な後嚢１１２にしわの発生および曇りを生じる。水晶体後嚢１１２の曇りが視軸内で発生すると、患者は、視力が低下し、かつ患者の視力を矯正するために追加的な手術を必要とし得る。
【発明の概要】
【発明が解決しようとする課題】
【０００５】
ＰＣＯの視軸をクリアにするために広く使用されている処置は、ネオジム：イットリウム−アルミニウム−ガーネット（「Ｎｄ／ＹＡＧ」）レーザ嚢切開であり、ここでは、レーザビームを使用して、曇った後嚢１１２の中心に開口部を形成する。しかしながら、Ｎｄ／ＹＡＧレーザ嚢切開は、患者を重症合併症のリスクにさらし、著しい視力障害または低下、例えば網膜剥離、瞳孔ブロック緑内障、虹彩出血、ブドウ膜炎／硝子体炎（ｖｉｔｒｉｔｉｓ）、および類嚢胞黄斑浮腫を生じ得る。さらに、レーザエネルギーは、通常、ＩＯＬを通るように向けられ、これにより挿入物の光学素子を損傷し得るか、または水晶体嚢１０８内でのその配置を乱し得る。従って、ＩＯＬ移植後の後日にＰＣＯを治療するのではなく、ＰＣＯの発生を予防するためのニーズが存在する。
【課題を解決するための手段】
【０００６】
概して、本開示は、ＰＣＯを抑制するように設計されたＩＯＬシステムに関する。いくつかの実施形態では、本明細書で説明するＩＯＬシステムの水晶体嚢リングは、水晶体嚢リングであって、その周囲に延在する凹状外側面を有する水晶体嚢リングを含み、この凹状外側面は、患者の眼の水晶体嚢内への挿入時に水晶体嚢の赤道領域に係合するように構成されている。凹状外側面は、水晶体嚢リングの前面と後面との間に延在する。第１の１つ以上のフラップが前面に配置され、それにより、第１の１つ以上のフラップのそれぞれの少なくとも一部分は、患者の眼の水晶体嚢内への挿入時に水晶体嚢の前部に係合する。同様に、第２の１つ以上のフラップが後面に配置され、それにより、第２の１つ以上のフラップのそれぞれの少なくとも一部分は、患者の眼の水晶体嚢内への挿入時に水晶体嚢の後部に係合する。
【０００７】
本開示のいくつかの実施形態は、１つ以上の技術的優位性を提供し得る。例えば、本開示の実施形態は、使用者（すなわち、外科医）に、水晶体嚢の内表面（すなわち、前嚢および後嚢の両方の内表面）にわたる水晶体上皮細胞の増殖および移動を阻止するための非外傷性装置を提供し得る。その結果、本開示の実施形態は、ＰＣＯを予防的に治療するため、術後の後嚢切開の必要性を低下させ得る。従って、術後の後嚢切開に関連する合併症（例えば、ＩＯＬへの損傷）が回避され得る。さらに、ＰＣＯの予防的な治療は、患者が受ける必要がある外科的処置数を減少させ、それにより、そうでなければ患者が被っていたことがあり得る外傷を減らしかつ費用を削減し得る。
【０００８】
本開示およびその利点をより詳細に理解するために、添付図面と併せて以下の説明が参照され、図面では同様の参照符号が同様の特徴を示す。
【図面の簡単な説明】
【０００９】
【図１】白内障の外科的除去およびＩＯＬの移植に関する解剖学的構造を示す眼の図である。
【図２Ａ】本開示のいくつかの実施形態による例示的な水晶体嚢リングを示す。
【図２Ｂ】本開示のいくつかの実施形態による例示的な水晶体嚢リングを示す。
【図３】本開示のいくつかの実施形態による、図２Ａ〜２Ｂに示す水晶体嚢リングを患者の眼の水晶体嚢内に挿入するための例示的な機構を示す。
【図４Ａ】本開示のいくつかの実施形態による、患者の眼の水晶体嚢内への挿入後の、図２Ａ〜２Ｂに示す水晶体嚢リングの横断面を示す。
【図４Ｂ】本開示のいくつかの実施形態による、患者の眼の水晶体嚢内への挿入後の、図２Ａ〜２Ｂに示す水晶体嚢リングの横断面を示す。
【図５Ａ】本開示のいくつかの実施形態による、図２Ａ〜２Ｂに示す水晶体嚢リングを含む例示的なＩＯＬシステムを示す。
【図５Ｂ】本開示のいくつかの実施形態による、図２Ａ〜２Ｂに示す水晶体嚢リングを含む例示的なＩＯＬシステムを示す。
【図６】本開示のいくつかの実施形態による、患者の眼の水晶体嚢内への挿入後の、図５Ａ〜５Ｂに示すＩＯＬシステムを示す。
【発明を実施するための形態】
【００１０】
当業者は、下記で説明する図面が説明のためにすぎないことを理解する。図面は、本出願人の開示の範囲を決して限定するものではない。
【００１１】
本開示の原理の理解を促すために、ここで、図面に示す実施形態を参照し、およびそれを説明するための特定の言語を使用する。それにもかかわらず、本開示の範囲の限定を意図するものではないことが理解される。説明するシステム、機器、および方法に対する任意の代替形態およびさらなる修正形態、ならびに本開示の原理のいずれかのさらなる適用例が、本開示が関係する技術分野の当業者が通常想到するように十分に想定される。特に、一実施形態に関して説明されるシステム、機器、および／または方法が、本開示の他の実施形態に関して説明される特徴、構成要素、および／またはステップと組み合わせられ得ることが十分に想定される。しかしながら、簡潔にするために、これらの組み合わせの多数の繰り返しは個別に説明しない。簡単にするために、場合により、図面を通して同じ参照符号を使用して同じまたは同様の部分を指す。
【００１２】
概して、本開示は、ＰＣＯを抑制するように設計されたＩＯＬシステムに関する。場合により、本開示の実施形態は、患者の眼の水晶体嚢に挿入されるように構成された水晶体嚢リングを含む。水晶体嚢リングは、挿入されると、水晶体嚢を開いたままにし、それにより水晶体嚢内への房水の循環を促し得る。さらに、水晶体嚢リングの周辺は、赤道領域からの水晶体上皮細胞の移動を抑制するために水晶体嚢の赤道領域に係合するように設計され得る。房水の循環および上皮細胞の移動抑制の両方によって嚢混濁を抑制し得る。
【００１３】
図２Ａ〜２Ｂは、本開示のいくつかの実施形態による例示的な水晶体嚢リング２００を示す。水晶体嚢リング２００は、図示の拡張（すなわち、応力のない）位置にあるとき、ほぼ円形の中心開口部２０２を画定する。水晶体嚢リング２００は前面２０４および後面２０６によって画定され、前面２０４および後面２０６は、一方の側面では外側面２０８により、かつ他方の側面では内側面２１０により接続され得る。換言すると、前面２０４、後面２０６、外側面２０８、および内側面２１０は、共同で水晶体嚢リング２００の横断面形状を画定し得る。本明細書では、「前」および「後」という用語は、水晶体嚢リング２００が患者の眼の水晶体嚢１０８に挿入された後の表面の位置付けを指す。しかしながら、水晶体嚢リング２００は対称とし得る（すなわち、横断面において、前面２０４は、水晶体嚢リング２００の中心線を中心として後面２０６の鏡映を作り得る）ため、水晶体嚢１０８内で特定の向きに合わせる必要はないことがあり得る。
【００１４】
いくつかの実施形態では、外側面２０８は、全体的に凹面を含んでもよく、患者の眼の水晶体嚢１０８内に位置決めされると、赤道小間隙（ｅｑｕａｔｏｒｉａｌ  ｖｏｉｄ）が水晶体嚢１０８の赤道領域１１４の周りに生じるように構成され得る（図４Ａ〜４Ｂに関して下記で詳細に説明するように）。凹面であると図示しかつ主に説明するが、本開示は、外側面２０８が任意の好適な形状を含んでもよく、それにより、患者の眼の水晶体嚢１０８内に配置されると、赤道小間隙が水晶体嚢１０８の赤道領域１１４の周りに生じることを想定する。例えば、外側面２０８は、正方形または矩形を含み、角が水晶体嚢１０８に係合してもよく、赤道小間隙が水晶体嚢１０８の赤道領域１１４の周りに生じる。別の例として、外側面２０８は、水晶体嚢１０８に係合する角間に延在する凸形状を含んでもよく、それにより、赤道小間隙が水晶体嚢１０８の赤道領域１１４の周りに生じる。
【００１５】
いくつかの実施形態では、内側面２１０は、ＩＯＬのレンズ部分の支持部（ｈａｐｔｉｃ）の形状に対応する全体的に凹面を含んでもよく、それにより、水晶体嚢リング２００が患者の眼の水晶体嚢１０８内に位置決めされると、ＩＯＬのレンズ部分は、内側面２１０と係合することによって水晶体嚢リング２００内に載置され得る（図４Ａ〜４Ｂに関して下記で詳細に説明するように）。凹面であると図示しかつ主に説明するが、本開示は、内側面２１０が、ＩＯＬのレンズ部分の支持部を受け入れるように構成された任意の好適な形状を含んでもよく、それにより、ＩＯＬのレンズ部分が内側面２１０に係合することによって水晶体嚢リング２００内に載置され得ることを想定する。例えば、内側面２１０は、対応する形状を有するＩＯＬのレンズ部分の支持部を受け入れるように構成された正方形または矩形の領域を含み得る。
【００１６】
いくつかの実施形態では、前面２０４および後面２０６は、それぞれ１つ以上のフラップ２１２を含み得る。フラップ２１２は、一般的に、水晶体嚢リング２００から外向きに延在しかつ鋭角で交わる２つの面によって画定される構造を含み得る。その結果、水晶体嚢リング２００が患者の眼の水晶体嚢１０８内に位置決めされると、フラップ２１２は、上皮細胞の移動を抑制するように水晶体嚢１０８と相互作用し得る（図４Ａ〜４Ｂに関して下記で詳細に説明するように）。例えば、フラップ２１２は、柔軟性であり得、および水晶体嚢１０８に対して局限性の圧力を生じることによって水晶体嚢１０８と相互作用し得る。前面２０４および後面２０６を、それぞれ特定の形状を有する特定の数のフラップ２１２を有するとして示すが、本開示は、前面２０４および後面２０６が、それぞれ任意の好適な形状を有する任意の好適な数のフラップ２１２を有し得ることを想定する。
【００１７】
水晶体嚢リング２００は、構造的に変形可能な生体適合性材料またはそのような材料の組み合わせから構成され、水晶体嚢リング２００がその完全性を損なわずに弾性的または可塑的に変形できるようにし得る。例えば、水晶体嚢リング２００は、弾力性ポリマー、例えばＡｃｒｙＳｏｆ（登録商標）という名称で知られているシリコーンまたは２−フェニルエチルアクリレートおよび２−フェニルエチルメタクリレートから作製され得る。形状記憶特性を有する他の材料も使用され得る。いくつかの実施形態では、水晶体嚢リング２００の材料組成は、リングを拡張状態の方へ弾力的に偏倚させる。さらに、水晶体嚢リング２００のサイズは、水晶体嚢１０８内に移植されると、そのような偏倚によって水晶体嚢１０８に圧力を加えるようなサイズにされ得る。
【００１８】
上述の構造的に変形可能な材料は、水晶体嚢リング２００が眼への送達中に薄型の構成に拘束され、および送達プロセス後に生体内でその拡張形状を取り戻して維持されることができるようにし得る。例えば、図３は、本開示のいくつかの実施形態による、患者の眼１００の水晶体嚢１０８内に水晶体嚢リング２００を挿入するための例示的な機構を示す。眼１００の水晶体嚢１０８は、前嚢切開部（ａｎｔｅｒｉｏｒ  ｃａｐｓｕｌｏｒｈｅｘｉｓ）３００（すなわち、前嚢１１０の除去された領域）がある状態、および自然の水晶体が除去された状態で示されている。その結果、角膜１０４にある切開部３０２により、水晶体嚢リング２００を、切開部３０２および前嚢切開部３００を経由して水晶体嚢１０８内に挿入できるようにする。
【００１９】
いくつかの実施形態では、水晶体嚢リング２００は、送達器具３０４を使用して患者の眼１００の水晶体嚢１０８内に挿入され得る。送達器具３０４のルーメン３０６は、角膜切開部３０２（例えば、１．５〜４ｍｍの切開部）を通って、前嚢切開部３００を通って、および水晶体嚢１０８内へ挿入され得る。水晶体嚢リング２００は、圧縮（すなわち、非拡張）状態でルーメン３０６内に収納され得る。送達器具３０４は、ルーメン３０６内で縦方向に平行移動するように構成されたプランジャー３０８を含み、それにより、プランジャー３０８は、ルーメン３０６の遠位端部から水晶体嚢リング２００を水晶体嚢１０８内へと押し出し得る。水晶体嚢リング２００は、送達器具３０４のルーメン３０６の遠位端部から出ると、拡張位置を取ってもよく、および水晶体嚢１０８の赤道領域１１４に沿って配置され得る。
【００２０】
患者の眼１００の水晶体嚢１０８内に水晶体嚢リング２００を挿入するための特定の技術を説明したが、本開示は、特定のニーズに従って、任意の好適な技術を使用して、水晶体嚢リング２００が患者の眼１００の水晶体嚢１０８内に挿入され得ることを想定する。
【００２１】
図４Ａ〜４Ｂは、本開示のいくつかの実施形態による、患者の眼１００の水晶体嚢１０８内への挿入後の水晶体嚢リング２００の横断面を示す。水晶体嚢１０８の赤道領域１１４に沿って位置決めされたとき、水晶体嚢リング２００は、前嚢１１０と後嚢１１２との分離を維持し得る。換言すると、水晶体嚢リング２００は、水晶体嚢１０８を開いたままにし得る。その結果、前眼房１１６内にある房水は、前嚢切開部３００を通過することによって水晶体嚢１０８を循環できるようにされ得る。この循環は、水晶体上皮細胞の移動を防止するのを支援し、従ってＰＣＯの可能性を低下させ得る。
【００２２】
水晶体嚢１０８を開いたままにすることに加えて、水晶体嚢リング２００の凹状外側面２０８は、水晶体嚢１０８の赤道領域１１４に沿って載置されたときに赤道小間隙４００を生じ得る。さらに、赤道小間隙４００は、凹状外側面２０８と、水晶体嚢１０８に係合する前面２０４／後面２０６との間の尖頭的な移行部によって囲まれてもよく、およびこれらの尖頭的な移行部は、赤道領域１１４から水晶体嚢１０８の他の領域への水晶体上皮細胞の移動を防止するのを支援し得る。換言すると、赤道小間隙４００は、水晶体上皮細胞を封じ込める役割を果たし、それによりＰＣＯの可能性を低下させ得る。
【００２３】
さらに、水晶体嚢リング２００の前面２０４に配置された１つ以上のフラップ２１２は、前嚢１１０とインターフェースを取り得る。同様に、水晶体嚢リング２００の後面２０６に配置された１つ以上のフラップ２１２は、後嚢１１２とインターフェースを取り得る。上述の凹状外側面２０８と前面２０４／後面２０６との間の尖頭的な移行部のように、フラップ２１２の鋭角により、水晶体上皮細胞（例えば、赤道領域１１４から逃げる水晶体上皮細胞）の移動を防止するのをさらに支援し得る。その結果、フラップ２１２は、水晶体上皮細胞の移動の追加的な妨害物を提供し、それによりさらにＰＣＯの可能性を低下させ得る。
【００２４】
図５Ａ〜５Ｂは、本開示のいくつかの実施形態による、水晶体嚢リング２００を含む例示的なＩＯＬシステム５００を示す。水晶体嚢リング２００に加えて、ＩＯＬシステム５００は、水晶体嚢リング２００とインターフェースを取るように構成されたレンズ５０２を含み得る。例えば、図５Ｂに示すように、レンズ５０２は、光学素子５０４（例えば、患者の視力を矯正するための任意の好適な光学素子）および１つ以上の支持部５０６を含み得る。支持部５０６は、水晶体嚢リング２００の内側面２１０とインターフェースを取るように構成され、それにより、水晶体嚢リング２００が患者の眼１００の水晶体嚢１０８内に挿入された後、レンズ５０２は、水晶体嚢リング２００内に載置され（内側面２１０に係合する支持部５０６によって）、かつ光学素子５０４は、患者の眼１００の視軸に沿って位置し得る。
【００２５】
いくつかの実施形態では、支持部５０６は、レンズ５０２が水晶体嚢リング２００内に載置されると、光学素子５０４が、水晶体嚢リング２００の平面の後方にある平面内に位置決めされるように構成され得る。その結果、レンズ５０２は後嚢１１２と係合し、それにより、水晶体嚢リング２００が水晶体嚢１０８を開いたままに維持するのを支援し得る。
【００２６】
特定の形状を有する特定の数の支持部５０６を示すが、本開示は、レンズ５０２が、水晶体嚢リング２００と併せたレンズ５０２の上述の使用を容易にする、任意の好適な構成を有する任意の好適な数の支持部を含み得ることを想定する。
【００２７】
図６は、本開示のいくつかの実施形態による、患者の眼の水晶体嚢内への挿入後の、図５Ａ〜５Ｂに示すＩＯＬシステムを示す。上述の通り、水晶体嚢リング２００の平面の後方にある平面内に光学素子５０４が位置決めされるように構成されている支持部５０６は、レンズ５０２を後嚢１１２と接触させ得る。さらに、レンズ５０２は、後嚢１１２に圧力を加え得る。その結果、後嚢１１２は、前嚢１１０の方へ動くのを防止されるため、水晶体嚢リング２００が水晶体嚢１０８を開いたままに維持するのを支援し得る。
【００２８】
様々な上述および他の特徴および機能、またはそれらの代替形態が、多くの他の異なるシステムまたは適用例に必要に応じて組み合わせられ得ることが認識される。本明細書の様々な現在では予見できないまたは予想外の代替形態、修正形態、変形形態または改良形態が後に当業者によってなされ得、それらの代替形態、変形形態および改良形態も以下の特許請求の範囲に含まれるものとすることも認識される。
【図１】
0006781245.tif 000002
【図２Ａ】
0006781245.tif 000003
【図２Ｂ】
0006781245.tif 000004
【図３】
0006781245.tif 000005
【図４Ａ】
0006781245.tif 000006
【図４Ｂ】
0006781245.tif 000007
【図５Ａ】
0006781245.tif 000008
【図５Ｂ】
0006781245.tif 000009
【図６】
0006781245.tif 000010